(57)【要約】【課題】  実際にカウントされた結束帯通番と、インクリメントされた結束帯通番とが一致する場合にのみ結束帯通番を印字する。【解決手段】  識別部１２は、計数開始時に結束帯通番の初期値を印字部４０に通知するとともに、所定枚数計数する毎に印字部４０に印字開始コマンド及び結束帯通番を通知し、印字部４０は、識別部１２から印字開始コマンド及び結束帯通番が通知されるのに基づいて内部に保有している結束帯通番を１増加させ、この結束帯通番が識別部１２から通知された結束帯通番と一致するのに基づいて結束帯通番を印字する。【選択図】      図３
2005350072.tif 000002
【特許請求の範囲】
【請求項１】
紙葉類を搬送する第１の搬送手段と、
この第１の搬送手段によって搬送される紙葉類を計数する計数手段と、
この計数手段によって計数された紙葉類を集積させる集積手段と、
この集積手段に所定枚数集積された集積紙葉類を搬送する第２の搬送手段と、
この第２の搬送手段によって搬送されてくる集積紙葉類を結束材で結束する結束手段と、
この結束手段に結束材を供給する供給手段と、
この供給手段によって供給される結束材に結束通番を印字する印字手段と
を具備し、
前記計数手段は、計数開始時に前記結束通番の初期値を前記印字手段に通知するとともに、所定枚数計数する毎に前記印字手段に印字開始コマンド及び前記結束通番を通知し、
前記印字手段は、前記計数手段から印字開始コマンド及び結束通番が通知されるのに基づいて内部に保有している結束通番を１増加させ、この結束通番が前記計数手段から通知された結束通番と一致するのに基づいて結束通番を印字することを特徴とする紙葉類処理装置。
【請求項２】
前記計数手段は紙葉類を１００枚計数する毎に印字開始コマンド及び結束通番を通知することを特徴とする請求項１記載の紙葉類処理装置。
【発明の詳細な説明】
【技術分野】
【０００１】
本発明は、例えば、紙幣をその金種などに応じて区分排出し、或いは、紙幣を所定枚数ずつ結束する紙葉類処理装置に関する。
【背景技術】
【０００２】
この種の紙葉類処理装置は、載置部に紙幣を複数枚積層状態でセットし、このセットした紙幣を一枚ずつ取込んで搬送し、その金種、真偽、表裏の向きなどを識別部で判別し、この判別結果に基づいて紙幣を複数の排出部に区分して排出し、或いは、鑑査した紙幣を
集積部に所定枚数（例えば、１００枚）集積したのち、この集積紙幣を搬送機構によって結束部に搬送して結束材としての結束帯で結束処理するものがある。結束帯には印字部において例えば、銀行名、結束帯通番、日付情報等が記録される（例えば、特許文献１参照。）。
【０００３】
ところで、上記した識別部では、結束する紙幣の枚数が計数され、この計数開始時には、図７に示すように結束帯通番の初期値が印字部に通知される（ステップＳ２１）。また、識別部は紙幣を１００枚計数する毎に印字部に印字開始のコマンドを通知する（ステップＳ２２）。この通知があると、印字部はその内部に保有する結束帯通番をインクリメント（１プラス）する（ステップＳ２３）。そして、このインクリメント（１プラス）した結束帯通番を結束帯に印字するようになっている（ステップＳ２４）。
【特許文献１】特開平８−２５３２０６号公報
【発明の開示】
【発明が解決しようとする課題】
【０００４】
しかしながら、従来においては、識別部でカウントされた結束帯通番と印字部でインクリメント（１プラス）された結束帯通番とが同一であるか否かを判別することができず、識別部でカウントされた結束帯通番とは異なる結束帯通番を印字する可能性があり信頼性が低下するという問題があった。
【０００５】
本発明は上記事情に着目してなされたもので、その目的とするところは、識別部でカウントされた結束通番と印字部でインクリメント（１プラス）された結束通番とが同一である場合にのみ結束通番を結束材に印字できるようにした紙葉類処理装置を提供することにある。
【課題を解決するための手段】
【０００６】
上記課題を解決するため、請求項１記載の発明は、紙葉類を搬送する第１の搬送手段と、この第１の搬送手段によって搬送される紙葉類を計数する計数手段と、この計数手段によって計数された紙葉類を集積させる集積手段と、この集積手段に所定枚数集積された集積紙葉類を搬送する第２の搬送手段と、この第２の搬送手段によって搬送されてくる集積紙葉類を結束材で結束する結束手段と、この結束手段に結束材を供給する供給手段と、この供給手段によって供給される結束材に結束通番を印字する印字手段とを具備し、前記計数手段は、計数開始時に前記結束通番の初期値を前記印字手段に通知するとともに、所定枚数計数する毎に前記印字手段に印字開始コマンド及び前記結束通番を通知し、前記印字手段は、前記計数手段から印字開始コマンド及び結束通番が通知されるのに基づいて内部に保有している結束通番を１増加させ、この結束通番が前記計数手段から通知された結束通番と一致するのに基づいて結束通番を印字することを特徴とする。
【発明の効果】
【０００７】
本発明によれば、実際にカウントされた結束通番と、結束帯に印字される結束通番とを一致させることができ、信頼性を向上することができる。
【発明を実施するための最良の形態】
【０００８】
以下、本発明を図面に示す実施の形態を参照して詳細に説明する。  
図１は本発明の一実施の形態である紙葉類処理装置としての紙幣整理機の外観を示すものである。
【０００９】
図１中１は装置本体で、この装置本体１の一側上部側には紙葉類としての紙幣Ｐを各金種混合状態で積層載置する載置部２が設けられている。この載置部２に載置された紙幣Ｐはその下部側のものから後述する取込ローラにより取込まれるようになっている。装置本体１の前部側上面部には、横方向に並列に第１乃至第３の排出部３ａ〜３ｃが配設されている。これら第１乃至第３の排出部３ａ〜３ｃには、金種別に紙幣が区分排出される。第１の排出部３ａには、例えば、千円紙幣、第２の排出部３ｂには一万円紙幣、第３の排出部３ｃにはリジェクト紙幣が排出される。
【００１０】
装置本体１の後部側上面部には、操作部４及び表示部５が設けられている。操作部４は、例えば、計数分類処理モード、或いは、結束処理モードを選択的に設定するようになっている。
【００１１】
図２は、紙幣整理機の内部構成を概略的に示すものである。
【００１２】
載置部２の下部側には紙幣Ｐを取込む取込ローラ７ａ，７ｂが配設されている。取込ローラ７ａ，７ｂの紙幣取込側には供給ローラ８が設けられ、この供給ローラ８の上面部には紙幣を一枚ずつ分離するための分離ローラ９が転接されている。分離ローラ９によって分離された紙幣Ｐは第１の搬送経路（第１の搬送手段）１１に沿って搬送される。この第１の搬送経路１１の中途部には紙幣Ｐの金種、表裏、真偽等を識別するとともに、結束する紙幣の枚数を計数する識別部（計数手段）１２が設けられている。
【００１３】
第１の搬送経路１１の紙幣搬送方向下流側には切替ゲート１３を介して第２及び第３の搬送経路１４，１５が接続されている。第２の搬送経路１４は紙幣Ｐを上記した第１乃至第３の排出部３ａ〜３ｃに搬送するものである。第２の搬送経路１４の中途部には、第１及び第２の切替ゲート１７，１８が配設され、これら第１及び第２の切替ゲート１７，１８の切替動作により紙幣Ｐが第１乃至第３の排出部３ａ〜３ｃへ選択的に搬送される。第１乃至第３の排出部３ａ〜３ｃの下部側には紙幣Ｐを排出するための排出ローラ対２０ａ〜２０ｃが配設されている。
【００１４】
一方、上記した第３の搬送経路１５の紙幣搬送方向下流側には表裏反転機構２２が接続されている。表裏反転機構２２で表裏が揃えられた紙幣は第４の搬送経路２４を介して集積手段としての集積部２６に搬送されて集積されるようになっている。集積部２６には紙幣Ｐが所定枚数、例えば１００枚集積される。
【００１５】
集積部２６の下方部には、集積紙幣を結束部３０へ搬送する第２の搬送手段としての搬送機構２８が設けられている。搬送機構２８は複数のローラ４３間に掛け渡されて走行する搬送ベルト４４を備え、この搬送ベルト４４の上面部に集積紙幣を載置して搬送するようになっている。
【００１６】
結束手段としての結束部３０は、搬送ベルト４４によって搬送されてくる集積紙幣を上下からクランプして受取るクランプ部材（図示しない）と、このクランプ部材間に挾持される紙幣Ｐに結束材としての結束帯３６を巻付ける帯巻付け機構３３と、結束帯３６を所定の長さに切断するカッタ３４と、結束帯３６の重合端部を熱接着するヒータ３５等を備えている。帯巻付け機構３３は一対の巻付けアーム４６を回動自在に備えている。
【００１７】
結束帯３６は供給手段としての供給リール３７から供給ルート３８に沿って供給され、供給ルート３８の中途部には結束帯３６に銀行の支店名、処理の日付け、結束帯通番等を印字する印字手段としての印字部４０が設けられている。印字部４０はインパクトドット方式の印字ヘッド４１とこの印字ヘッド４１に対向するプラテンローラ４２を備えている。
【００１８】
次に、上記した紙幣整理機の処理動作について説明する。
【００１９】
まず、装置本体１の載置部２に混合金種の紙幣Ｐを積層状態で載置し、操作部４によって、計数分類処理モード或いは、結束処理モードを設定する。
【００２０】
この状態から取込ローラ７ａ，７ｂを回転駆動する。これにより、紙幣Ｐが取込まれ、供給ローラ８と分離ローラ９の回転により紙幣Ｐが一枚ずつ分離されて供給される。この紙幣Ｐは第１の搬送経路１１を介して識別部１２へ送られて識別される。
【００２１】
操作部４によって、例えば、計数分類処理モードが設定されていた場合には、識別された紙幣は第２の搬送経路１４を介して第１乃至第３の排出部３ａ〜３ｃに向かって搬送される。識別された紙幣が例えば千円券である場合には、第１の振分ゲート１７の動作により第１の排出ローラ対２０ａに送られ、この第１の排出ローラ対２０ａの回転により第１の排出部３ａに排出される。識別された紙幣が例えば万円券である場合には、第２の振分ゲート１８の動作により第２の排出ローラ対２０ｂに送られ、この第２の排出ローラ対２０ｂの回転により第２の排出部３ｂに排出される。識別された紙幣が例えばリジェクト券である場合には、第３の排出ローラ対２０ｃに送られ、この第３の排出ローラ対２０ｃの回転により第３の排出部３ｃにリジェクトされる。
【００２２】
なお、リジェクト紙幣としては、例えば２枚重なり紙幣、連鎖紙幣、偽紙幣等の識別不能紙幣等がある。
【００２３】
一方、操作部４によって、結束処理モードが設定されていた場合には、予め結束する紙幣の金種を指定しておくと、指定金種の紙幣は切替ゲート１３を介して第３の搬送経路１５へ送られ、いずれの排出部３ａ〜３ｃへも排出されずに表裏反転機構２２に送られる。この表裏反転機構２２に送られた紙幣は一方の面に揃えられたのち第４の搬送経路２４を介して集積部２６に送り込まれる。
【００２４】
このとき、指定された金種以外の紙幣は計数分類処理モード時と同様に第１乃至第３の排出部３ａ〜３ｃに排出される。
【００２５】
集積部２６に所定枚数（例えば１００枚）の紙幣が集積されると、集積部２６から搬送ベルト４４上に移載される。この移載された集積紙幣は搬送ベルト４４の走行により結束部３０に搬送されクランプ片により挾持される。また、このとき、供給リール３７から結束帯３６が供給され、この結束帯３６の表面には後で詳しく述べるように印字部４０により銀行の支店名、処理の日付け、結束帯通番等が印字される。この結束帯３６は所定長さ送り出されると、カッタ３４により切断される。そして、この切断された結束帯３６は、一対の巻付アーム４６の回動により、集積紙幣の囲りに巻付けられる。この巻付け後、結束帯３６の両端重合部にヒータ３５が押し付けられて加熱される。これにより結束帯３６が接着されて結束され、この結束された紙幣把は収納部に放出されて収納されることになる。
【００２６】
図３は、上記した印字部４０の駆動制御系を示すものである。
【００２７】
印字部４０は結束帯３６に対向配置され、結束帯３６の供給方向に対し交差する方向（結束帯３６の幅方向）に移動自在となっている。この印字部４０は駆動機構５１によって第１の位置Ａとこの第１の位置Ａに隣接する第２の位置Ｂとの間で往復移動される。
【００２８】
また、結束帯３６は印字部４０の帯供給方向上流側と下流側で搬送ローラ対５３，５４によって挟持されている。搬送ローラ対５３，５４は駆動モータ５５によって正逆回転され、これにより、結束帯３６がその供給方向に沿って往復移動されるようになっている。印字部４０、駆動機構５１、及び駆動モータ５５には制御回路を介して制御部６１が接続され、印字時における動作が制御されるようになっている。印字部４０には送信回路を介して操作部４が接続され、操作部４の操作により装置設置場所名、例えば、銀行名、支店名等が入力されるようになっている。
【００２９】
なお、銀行名、支店名等の入力は半導体メモリ等（コンパクトフラッシュ（登録商標）他）、ＦＤなどの直メディア、及びＣＤなどの光学メディアを介して入力しても良く、或いは、外部装置（パーソナルコンピュータ等）から通信によって入力するようにしても良い。
【００３０】
また、識別部１２は通知回路を介して印字部４０に接続されている。識別部１２は計数開始時に結束帯通番の初期値を印字部４０に通知するとともに、紙幣を所定枚数計数する毎に印字開始コマンド及び結束帯通番を印字部４０に通知するようになっている。
【００３１】
また、印字部４０は、識別部１２から印字開始コマンド及び結束帯通番が通知されるのに基づいて内部に保有している結束帯通番を１増加させ、この結束帯通番が識別部１２から通知された結束帯通番と一致するのに基づいて結束帯通番を印字するようになっている。
【００３２】
つぎに、印字部４０の印字動作について説明する。
【００３３】
まず、図４（ａ）に示すように、印字部４０が第１の位置Ａに位置して結束帯３６に対向し、この状態から印字ヘッド４１が印字動作を開始するとともに、結束帯３６が搬送ローラ対５３，５４の正回転によって矢印方向に搬送される。これにより、結束帯３６の幅方向一側部側に例えば、銀行名５７ａ、支店名５７ｂ等の第１の情報５７が列状に印字される。この印字後、図４（ｂ）に示すように、印字部４０が第２の位置Ｂに移動して結束帯３６の幅方向他側部側に対向し、この状態から印字ヘッド４１が印字動作を開始するとともに、結束帯３６が搬送ローラ対５３，５４の逆回転によって逆方向に搬送される。これにより、結束帯３６の幅方向他側部側に例えば、結束帯通番５８ａ、日付情報５８ｂ等の第２の情報５８が列状に記録される。
【００３４】
このように第１及び第２の情報５７，５８が印字された結束帯３６は結束部３０で図５（ａ），（ｂ）に示すように集積紙幣Ｐに巻き付けられて施封把を構成する。
【００３５】
ところで、上記した結束帯３６に記録される結束帯通番５８ａは、図６のフローチャートに示すように印字される。
【００３６】
即ち、識別部１２で紙幣の計数が開始されると、識別部１２から印字部４０に結束帯通番の初期値が通知される（ステップＳ１１）。この通知後、識別部１２で紙幣が１００枚計数されて確定されると、印字開始コマンドが印字部４０に通知されるとともに、結束帯通番Ａが通知される（ステップＳ１２）。この通知に基づいて印字部４０は、内部に保有している結束帯通番Ｂをインクリメント（プラス１）する（ステップＳ１３）。ついで、通知された結束帯通番Ａとインクリメントされた結束帯通番Ｂ＋１とが等しいか否かが判別される（ステップＳ１４）。等しいと判別された場合には、結束帯３６に結束帯通番が印字される（ステップＳ１５）。等しくないと判別された場合には、エラーとなり装置を停止させる。
【００３７】
結束帯通番が印字されたのちは、ステップＳ１２に戻り、上記した動作を繰り返して結束帯通番の印字を継続する。
【００３８】
上記したように、この実施の形態によれば、通知された結束帯通番Ａとインクリメントされた結束帯通番Ｂ＋１とが等しいと判別された場合には、結束帯３６に結束帯通番を印字し、等しくないと判別された場合には、結束帯通番の印字を行わないため、通知された結束帯通番Ａと異なる結束帯通番を印字してしまうことがなく、正確な印字が可能となり、信頼性を向上することができる。
【００３９】
なお、本発明は、上記した実施の形態に限られることなく、その要旨の範囲内で種々変形実施可能なことは勿論である。
【図面の簡単な説明】
【００４０】
【図１】本発明の一実施の形態である紙幣整理機を示す外観斜視図。
【図２】同紙幣整理機の内部構成を示す図。
【図３】同紙幣整理機の印字部の駆動制御系を示す図。
【図４】同印字部の印字動作を示す図。
【図５】同印字部によって情報が印字された結束帯によって集積紙幣が結束された状態を示す図。
【図６】同印字部による結束帯通番の印字動作を示すフローチャート図。
【図７】従来における結束帯通番の印字動作を示すフローチャート図。
【符号の説明】
【００４１】
Ｐ…紙葉類、１１…第１の搬送経路（第１の搬送手段）、１２…識別部（計数手段）、２６…集積部（集積手段）、２８…搬送機構（第２の搬送手段）、３０…結束部（結束手段）、３６…結束帯（結束材）、３７…供給リール（供給手段）、４０…印字部（印字手段）、Ａ，Ｂ…結束通番（結束帯通番）。
【図１】
2005350072.tif 000003
【図２】
2005350072.tif 000004
【図３】
2005350072.tif 000005
【図４】
2005350072.tif 000006
【図５】
2005350072.tif 000007
【図６】
2005350072.tif 000008
【図７】
2005350072.tif 000009